(57)【要約】【課題】土台締結用ナットを回転させる工具の負荷を従来より低減させた土台締結用ナットを提供すること。【解決手段】土台締結用ナット１は、基礎コンクリートから立設され、土台に設けられたボルト孔に挿入されたアンカーボルトに螺合するネジ孔１１ａを有する円筒部１１と、円筒部１１の上端に連設した皿部１２とを有する土台緊締用ナットであって、皿部１２の下面には、円筒部１１の周囲から皿部１２の外周端方向へ途中まで漸次上昇する湾曲面を有する第１下面１２１と、その第１下面１２１の外周から皿部１２の外周端まで水平に延びる水平面を有する第２下面１２２とを有し、その第２下面１２２にのみ、基礎コンクリート上に載置された土台を切削する切削刃１２２ａを突設した。【選択図】図３
2014080801.tif 000002
【特許請求の範囲】
【請求項１】
基礎コンクリートから立設され、土台に設けられたボルト孔に挿入されたアンカーボルトに螺合するネジ孔を有する円筒部と、
円筒部の上端に連設した皿部とを有する土台緊締用ナットであって、
皿部の下面には、円筒部の周囲から皿部の外周端方向へ途中まで漸次上昇する湾曲面を有する第１下面と、その第１下面の外周から皿部の外周端まで水平に延びる水平面を有する第２下面とを有し、その第２下面にのみ、基礎コンクリート上に載置された土台を切削する切削刃を突設したことを特徴とする土台緊締用ナット。
【請求項２】
請求項１記載の土台緊締用ナットにおいて、
皿部の第２下面に設けられる切削刃は、皿部の下面を平面視した際、回転方向側となる刃側の形状が、その中央が凸になるように湾曲していることを特徴とする土台緊締用ナット。
【発明の詳細な説明】
【技術分野】
【０００１】
本発明は、基礎コンクリートから立設され、土台に設けられたボルト孔に挿入されたアンカーボルトに螺合して土台を基礎コンクリートに緊締するために用いる土台緊締用ナットに関する。
【背景技術】
【０００２】
基礎コンクリートから立設され、土台に設けられたボルト孔に挿入されたアンカーボルトに螺合して土台を基礎コンクリートに緊締するために用いる土台緊締用ナットとして、本出願人は、皿部（つば部）の下面側に、基礎コンクリート上に載置された土台を切削する切削刃を設けたものを提案している（例えば、特許文献１〜３参照。）
【先行技術文献】
【特許文献】
【０００３】
【特許文献１】特許第２９２９５７６号公報
【特許文献２】特許第３００７２９７号公報
【特許文献３】特開２００９−９１７２７号公報
【発明の概要】
【発明が解決しようとする課題】
【０００４】
しかし、上述の特許文献１〜３の土台締結用ナットでは、皿部の下面側に、円筒部の周囲から皿部の外周端まで一体的または断続的に延びる切削刃を設けているため、皿部の下面側に接触する土台表面全てを切削することになり、この土台締結用ナットを回転させるためには、大きな回転トルクが必要であった、そのため、この土台締結用ナットを回転させる工具であるインパクトレンチ等の負荷が大きいという問題があった。
【０００５】
そこで、本発明は、土台締結用ナットを回転させる工具の負荷を従来より低減させた土台締結用ナットを提供することを目的とする。
【課題を解決するための手段】
【０００６】
前記課題を解決するため、本発明の土台締結用ナットは、基礎コンクリートから立設され、土台に設けられたボルト孔に挿入されたアンカーボルトに螺合するネジ孔を有する円筒部と、円筒部の上端に連設した皿部（つば部）とを有する土台緊締用ナットであって、皿部の下面には、円筒部の周囲から皿部の外周端方向へ途中まで漸次上昇する湾曲面を有する第１下面と、その第１下面の外周から皿部の外周端まで水平に延びる水平面を有する第２下面とを有し、その第２下面にのみ、基礎コンクリート上に載置された土台を切削する切削刃を突設したことを特徴とする。
ここで、皿部の第２下面に設けられる切削刃は、皿部の下面を平面視した際、回転方向側となる刃側の形状が、その中央が凸になるように湾曲していると良い。
【発明の効果】
【０００７】
本発明の土台締結用ナットでは、皿部の下面に、円筒部の周囲から皿部の外周端方向へ途中まで漸次上昇する湾曲面を有する第１下面と、その第１下面の外周から皿部の外周端まで水平に延びる水平面を有する第２下面とを有し、その第２下面にのみ基礎コンクリート上に載置された土台を切削する切削刃を設け、第１下面には切削刃を設けないようにしたため、土台締結用ナットを回転させるための回転トルクが減少し、この土台締結用ナットを回転させる工具であるインパクトレンチ等の負荷を減少させることができる。
【図面の簡単な説明】
【０００８】
【図１】本発明に係る土台締結用ナットの使用状態を示す断面図である。
【図２】（ａ），（ｂ）それぞれ、土台締結用ナットの平面図、正面図である。
【図３】（ａ），（ｂ）それぞれ、土台締結用ナットの底面図、Ａ−Ａ線部分断面図である。
【発明を実施するための形態】
【０００９】
以下、本発明に係る土台締結用ナットの実施の形態を、添付図面を参照しながら詳細に説明する。なお、下記に説明する実施形態はその寸法等も含めあくまで本発明の一例であり、本発明は下記の実施形態に限定されるものではなく、本発明の技術思想の範囲内で適宜変更可能である。
【００１０】
図１〜図３に示すように、この土台締結用ナット１は、基礎コンクリート２から立設され、土台３に設けられたボルト孔３１に挿入されたアンカーボルト４に螺合するネジ孔１１ａを有するその外径が約１６ｍｍの円筒部１１と、円筒部１１の上端に連設した外周端が円形の皿部１２とを有する。なお、
【００１１】
皿部１２の直径は、約４５ｍｍで、その上面には、図２（ａ），（ｂ）に示すように、この土台締結用ナット１を回転させるインパクトレンチ（図示せず。）先端の６角形のビット（図示せず。）が嵌る対辺で約１７ｍｍ、対角で約２０ｍｍのビット嵌合部１２ａが形成されている。皿部１２の下面には、図２（ａ），（ｂ）や図３（ａ），（ｂ）に示すように、円筒部１１の周囲から皿部１２の外周端方向へ途中まで漸次上昇する湾曲面を有する第１下面１２１と、その第１下面１２１の外周から皿部１２の外周端まで水平に延びる水平面を有する第２下面１２２とを有する。なお、第２下面１２２の厚さは、約３．５ｍｍであり、第１下面１２１と第２下面１２２と合わせ厚さ（高さ）は、約１０ｍｍで、土台締結用ナット１の上下方向の長さ（高さ）は、全体として、約３８ｍｍとなる。
【００１２】
そして、この土台締結用ナット１では、図３（ａ）に示すように、その第２下面１２２に、基礎コンクリート２上に載置された土台３を切削する３つの切削刃１２２ａを突設したことを特徴とする。
【００１３】
ここで、皿部１２の第２下面１２２に設けられる切削刃１２２ａは、皿部１２の下面を平面視した際、図３（ａ）に示すように、回転方向側となる刃側の形状が、その中央が凸になるように例えば、曲率半径が約２２ｍｍで湾曲している。これにより、切削刃１２２ａは、その刃先が湾曲していない直線状の場合よりも、土台３を切削した際に発生する切り屑をその内側または外側に均等に排出することになり、切り屑の排出性が向上する。
【００１４】
また、切削刃１２２ａは、第２下面１２２にのみ設けられ、円筒部１１に連続する湾曲面の第１下面１２１には設けられていないため、皿部１１の下面側に接触する土台３の表面全てを切削せず、切削刃１２２ａが設けられている第２下面１２２との接触面のみ切削することになる。
【００１５】
その結果、この土台締結用ナット１によれば、第１下面１２１に切削刃１２２ａを設けない分、この土台締結用ナットを回転させるための回転トルクが減少し、この土台締結用ナット１を回転させる工具であるインパクトレンチ等の負荷を減少させることができる。
【００１６】
また、皿部１２の第１下面１２１の外周側の外径は、約２６ｍｍであるのに対し、土台３に設けられたボルト孔３１の内径は、それより小さい約２０ｍｍ前後である。そのため、第１下面１２１に切削刃１２２ａを設けないとしても、第１下面１２１の湾曲面がボルト孔３１の内周縁を押し潰して拡径し、第１下面１２１がボルト孔３１に嵌入するので、第１下面１２１に切削刃１２２ａを設けなくても何ら問題ない。
【符号の説明】
【００１７】
１  土台締結用ナット
１１  円筒部
１２  皿部
１２１  第１下面
１２２  第２下面
１２２ａ  切削刃
２  基礎コンクリート
３  土台
３１  ボルト貫通孔
４  アンカーボルト
【図１】
2014080801.tif 000003
【図２】
2014080801.tif 000004
【図３】
2014080801.tif 000005